(57)【要約】【課題】簡単な構成で高速処理時におけるオフセットなどの画質劣化を防止する定着装置及び画像形成装置を提供する。【解決手段】ベルト式定着装置２５は押圧ローラ４４で構成された加圧部と、内部に熱源を有する発熱ローラ４５、押圧ローラ４４に対向して配置された定着ローラ４６、発熱ローラ４５と定着ローラ４６とに掛け渡された熱定着ベルト４７、熱定着ベルト４７に摺接する除電ブラシ４８、除電ブラシ４８とバイメタル素子５１を保持する導電性部材４９、これらの部材とは電気的に独立で接地部５２に接続されバイメタル素子５１の上方に配設された除電用伝導部５３を有する。バイメタル素子５１は高速モードの画像処理時における熱定着ベルト４７の表面温度の第２の温度である１８０度以上の温度に熱応動して自由端が上方に反り返り除電用伝導部５３に当接し、熱定着ベルト４７に蓄積される摩擦電荷を接地部５２に導通させて中和する。【選択図】図４
2015114495.tif 000002
【特許請求の範囲】
【請求項１】
未定着トナー像を形成された記録媒体を加熱部と加圧部とで挟持して搬送しながら前記未定着トナー像を前記記録媒体に定着する定着装置において、
前記加熱部の表面温度を、低速又は中速での画像処理時の第１の温度と、高速での画像処理時の第２の温度とに制御する温度制御部と、
前記加熱部に摺接する除電ブラシと、
前記第１の温度と前記第２の温度に応じて、前記除電ブラシを接地部に対して電気的に離接させる除電制御部と
を備えることを特徴とする定着装置。
【請求項２】
前記加熱部は、発熱ローラと、前記加圧部に対向する定着ローラと、前記発熱ローラと前記定着ローラとに掛け渡された熱定着ベルトとを備え、
前記除電ブラシは、前記熱定着ベルトに摺接し、
前記除電制御部は、前記除電ブラシを保持する導電性部材と、該導電性部材に一端を保持され他端を前記熱定着ベルトの表面に近接又は摺接するバイメタル素子と、接地部に接続された除電用伝導部とを有し、
前記バイメタル素子は、前記第２の温度に熱応動して前記他端を前記熱定着ベルトから遠のく方向へ反り返えらせて前記他端を前記除電用伝導部に接触させ、前記除電ブラシに蓄積した電荷を接地部に開放する、
ことを特徴とする請求項１に記載の定着装置。
【請求項３】
前記第１の温度は摂氏１３５〜１６０度であり、前記第２の温度は摂氏１８０〜２３０度である、ことを特徴とする請求項１又は２に記載の定着装置。
【請求項４】
請求項１乃至３のいずれかに記載の定着装置を備えたことを特徴とする画像形成装置。
【発明の詳細な説明】
【技術分野】
【０００１】
本発明は、未定着トナー像を記録媒体上に定着する定着装置及び画像形成装置に係り、特に、簡単な構成で高速処理時におけるオフセットなどの画質劣化を防止する定着装置及び画像形成装置に関する。
【背景技術】
【０００２】
従来、トナーを用いて電子写真方式でトナー像を像担持体上に形成し、このトナー像を記録媒体に直接または間接に転写し、この転写された未定着トナー像を定着装置で記録媒体に定着して画像を形成する画像形成装置が知られている。
【０００３】
このような画像形成装置の定着装置においては、一般に、未定着トナー像を転写された印字媒体に熱と圧力を加えて未定着トナー像を印字媒体に定着させる。従来は、トナーを充分に溶融させて印字媒体に確実に定着させるために、比較的遅い処理速度で定着を行っていた。
【０００４】
ところで、定着装置の処理速度は、画像形成部における印字媒体への印字処理速度に対応するものであるため、近年、要望が強い印字処理の高速化に対処するには、定着装置の処理速度を上げなければならない。
【０００５】
ところが、定着装置に搬入されて乾燥した記録媒体は、加熱部と押圧部による把持部により挟持され、その押圧された把持部を通り抜ける際に摩擦等によって帯電するので、処理速度が速くなると、帯電電荷が短時間で蓄積する。
【０００６】
本来、低速や中速の定着処理における荷電の蓄積は、自然放電による電荷の減衰と相殺して、あまり大きな弊害とはならない。むしろ、それらの電荷はトナー（負帯電性トナー）に対して正極性であることから、微小なトナー画像領域の未定着トナーが定着ベルト側へ吸着されるマイクロオフセットと称される障害を防ぐ働きも持っていた。
【０００７】
定着装置における帯電電荷は、印字媒体のみならず定着ベルトや熱ローラにも蓄積するが、この電荷の蓄積は定着処理が高速になると短時間で飽和する。そして、飽和した電荷は、未定着トナー像のトナーが印字媒体の非印字部分や、定着ベルト、熱ローラ等に転移するという「静電オフセット」と称される障害を引き起こす。
【０００８】
このような電気的作用により生じるオフセットの防止では、バイアス電源により定着ローラの芯金に電圧を印加できるように構成し、この外部電源から芯金に印加する電圧を、記録媒体搬送のタイミングに合わせて、記録媒体と同極性、逆極性にそれぞれ切替えるようにして、多種の記録媒体に対応可能な定着装置が提案されている。（例えば、特許文献１参照。）
【先行技術文献】
【特許文献】
【０００９】
【特許文献１】特開平１１―８４９３２号公報
【発明の概要】
【発明が解決しようとする課題】
【００１０】
しかしながら、上記特許文献１に記載の技術では、オフセットの発生を防止するために定着ローラの芯金に電圧を印加するためのバイアス電源が必要となる。また、記録媒体の搬送タイミングに応じて芯金に電圧を印加したり、印加する電圧の極性をかえるなどの面倒な制御を必要とし、使い勝手に劣るという解決すべき課題があった。
【００１１】
本発明は、上記従来の課題を解決するものであって、簡単な構成で高速処理時におけるオフセットなどの画質劣化を防止する定着装置及び画像形成装置を提供することを目的とする。
【課題を解決するための手段】
【００１２】
上記課題を解決するために、本発明の定着装置は、未定着トナー像を形成された記録媒体を加熱部と加圧部とで挟持して搬送しながら上記未定着トナー像を上記記録媒体に定着する定着装置において、上記加熱部の表面温度を、低速又は中速での画像処理時の第１の温度と、高速での画像処理時の第２の温度とに制御する温度制御部と、上記加熱部に摺接する除電ブラシと、上記第１の温度と上記第２の温度に応じて、上記除電ブラシを接地部に対して電気的に離接させる除電制御部とを備えて構成される。
【００１３】
また、上記課題を解決するために、本発明の画像形成装置は、上記の定着装置を備えて構成される。
【発明の効果】
【００１４】
本発明は、簡単な構成で高速処理時におけるオフセットなどの画質劣化を防止する定着装置及び画像形成装置を提供することができる。
【図面の簡単な説明】
【００１５】
【図１】本発明の実施例１に係る画像形成装置（プリンタ）の内部構成を簡略に示す模式的側断面図である。
【図２】実施例１に係るプリンタの制御装置を含む回路ブロック図である。
【図３】実施例１に係るプリンタのプロセス負荷駆動出力制御部によって制御されるベルト式定着装置の熱定着ベルトの表面温度の例を示す温度特性図である。
【図４】実施例１に係るプリンタのベルト式定着装置の内部構成を取り出して示す斜視図である。
【図５】(a)は実施例１に係るプリンタのベルト式定着装置の内部構成の平面図、(b)は(a)のＣ−Ｃ´断面矢視図である。
【発明を実施するための形態】
【００１６】
以下、本発明の実施の形態について、図面を参照しながら詳細に説明する。
［実施例１］
【００１７】
図１は、実施例１に係る画像形成装置（以下、プリンタともいう）の内部構成を簡略に示す模式的側断面図である。尚、同図は、例としてタンデム型のカラー画像形成装置を示している。
【００１８】
同図に示すカラー画像形成装置１は、例えばデスクトップ型のパソコン用ラックに載置可能な程度の大きさの小型のカラー画像形成装置であり、本体基部の底部には用紙カセット２を着脱自在に備えている。用紙カセット２には多枚数の用紙３が載置・収容されている。
【００１９】
このカラー画像形成装置１の内部のほぼ中央には、中間転写ベルト４が前後に偏平なループ状に配置されている。中間転写ベルト４は、駆動ローラ５と従動ローラ６に掛け渡されて、図の矢印Ａで示す反時計回り方向に循環移動する。そして中間転写ベルト４の上循環部には、４個の感光体ドラム７（７ｃ、７ｍ、７ｙ、７ｋ）が画像搬送方向上流側から下流側（図の右から左方向）に多段式に並設されている。
【００２０】
各感光体ドラム７には、その周面を夫々取り囲むようにして（以下、代表的に感光体ドラム７ｋの周囲装置についてのみ符号を付して示す）、クリーナ８、帯電ローラ９、光書込ヘッド１１、画像形成ユニット１２の現像ローラ１３、及び一次転写ローラ１４が配置されている。尚、上記の現像ローラ１３はマグネットローラで構成されている。
【００２１】
上記４個の光書込ヘッド１１は、不図示の支持部材を介して画像形成装置本体フレームに支持されている。また、中間転写ベルト４、駆動ローラ５、従動ローラ６、一次転写ローラ１４等は、後述するテンションローラ１７及び１８と共にベルトユニットを構成している。
【００２２】
感光体ドラム７ｃに対応する画像形成ユニット１２から感光体ドラム７ｋに対応する画像形成ユニット１２まで、各画像形成ユニット１２の現像器１５のトナー容器１６内には、減法混色の三原色であるシアン（ｃ）、マゼンタ（ｍ）及びイエロー（ｙ）の各色トナーと、文字や画像の黒色部分等の印字に専用されるブラック（ｋ）のトナーが夫々収容されている。
【００２３】
図１において、中間転写ベルト４は、下流側端部裏面に圧接するテンションローラ１７と上流側端部裏面に圧接するテンションローラ１８とによって常に外側に付勢されて適度の張力を保っている。この中間転写ベルト４は、トナー像を直接ベルト面に転写（一次転写）されて、そのトナー像を更に用紙に転写（二次転写）すべく用紙への転写位置まで搬送する。
【００２４】
中間転写ベルト４の上流側端部に配置されている上記の従動ローラ６は、中間転写ベルト４の張設保持用ローラと二次転写部の対向ローラを兼ねており、その対向ローラとしての従動ローラ６には、中間転写ベルト４を介して押圧して回転する二次転写ローラ１９が対向して配置され、従動ローラ６、中間転写ベルト４、及び二次転写ローラ１９により二次転写部２０を形成している。
【００２５】
また、用紙カセット２の給紙口（図の右方）近傍には、用紙取出ローラ２１、給送ローラ２２及び捌きローラ２３が配置され、給送ローラ２２及び捌きローラ２３から二次転写部２０までの用紙搬送路の途中に待機ローラ対２４が配置されている。
【００２６】
上記の二次転写部２０の下流側（図では上方）にはベルト式定着装置２５が配置されている。ベルト式定着装置２５の更に下流側には、定着後の用紙をベルト式定着装置２５から搬出する不図示の搬出ローラ対、及びその搬出される用紙を装置上面に形成されている排紙トレー２６に排紙する排紙ローラ対２７が配設されている。
【００２７】
図１に示すように、このカラー画像形成装置１は、従来の用紙に直接トナー像を転写する方式ではなく、待機ローラ対２４により二次転写部２０まで鉛直方向に搬送される用紙に中間転写ベルト４を介してトナー像を転写する方式となっている。
【００２８】
したがって、用紙の搬送路に発生する用紙ジャム等の不具合を回復するメンテナンス処理時には、図１の右側を開放するのみで対処できるようになっている。
【００２９】
そして、用紙ジャム等の不具合は画像形成ユニット１２等のキット類の配設部では発生しないので、図１の左方に集中するキット類などの消耗品の着脱の操作は、キット類の長手方向に入れ替え操作するだけの小さなスペースで良いように構成されている。
【００３０】
これにより、各キット間の寸法は、可及的に縮小されており、装置本体全体の小型化が図られている。また、光書込みヘッド１１自体も小型化され、感光体ドラム７に、より近接している構成となっている。
【００３１】
図２は、上記のプリンタ１の制御装置を含む回路ブロック図である。図２に示すように回路ブロックは、ＣＰＵ（central processing unit)３０を中心にして、このＣＰＵ３０に、それぞれデータバスを介してインターフェイスコントローラ（Ｉ／Ｆ＿ＣＯＮＴ）３１及びプリンタコントローラ（ＰＲ＿ＣＯＮＴ）３２が接続されている。ＰＲ＿ＣＯＮＴ３２にはプリンタ印字部３３が接続されている。
【００３２】
また、ＣＰＵ３０には、ＲＯＭ（read only memory）３４、ＥＥＰＲＯＭ（electrically erasable programmable ROM）３５、本体操作部の操作パネル３７、各部に配置されたセンサからの出力が入力されるセンサ部３６が接続されている。
【００３３】
ＲＯＭ３４には、システムプログラムが記憶され、ＣＰＵ３０は、このシステムプログラムに従って各部を制御して処理を行う。
【００３４】
すなわち、各部において、先ず、Ｉ／Ｆ＿ＣＯＮＴ３１は、例えばパーソナルコンピュータ等のホスト機器から供給される印字データをビットマップデータに変換し、フレームメモリ３８に展開する。フレームメモリ３８は、ブラック（Ｋ）、マゼンタ（Ｍ）、シアン（Ｃ）、イエロー（Ｙ）ごとに記憶エリアが設定されており、各色のデータが対応するエリアに展開される。
【００３５】
フレームメモリ３８に展開されたデータはＰＲ＿ＣＯＮＴ３２に出力され、ＰＲ＿ＣＯＮＴ３２からプリンタ印字部３３に出力される。
【００３６】
プリンタ印字部３３は、エンジン部であり、ＰＲ＿ＣＯＮＴ３２からの制御の下で、図１に示した感光体ドラム７、一次転写ローラ１４等を含む不図示の回転駆動系、帯電ローラ９、光書込ヘッド１３等の被駆動部を有する画像形成部、転写ベルトユニット３の上下移動や転写ベルト８の回転を駆動する不図示の駆動部を備えている。
【００３７】
更に、プリンタ印字部３３は、ベルト式定着装置２５のベルト駆動を行うベルト駆動部３９、現像器１４のモータ等を駆動するトナー供給部モータ駆動部４１、現像ローラ１３、一次転写ローラ１４、二次転写ローラ１９等に高電圧バイアスを印加する高圧ユニットを駆動する高圧ユニット駆動部４２を備えている。
【００３８】
また、プリンタ印字部３３は、用紙取出ローラ２２〜排紙ローラ対３１等の回転駆動される各部からなる搬送機構、発熱駆動及び回転駆動されるベルト式定着装置２５などのプロセス負荷への駆動出力を制御するプロセス負荷駆動出力制御部４３を備えている。
【００３９】
プロセス負荷駆動出力制御部４３は、例えば、ベルト式定着装置２５の熱定着ベルトの表面温度を、低速又は中速での画像処理時の第１の温度と、高速での画像処理時の第２の温度とに制御する。
【００４０】
そして、ＰＲ＿ＣＯＮＴ３２から出力されたブラック（Ｋ）、マゼンダ（Ｍ）、シアン（Ｃ）、イエロー（Ｙ）の各色の印字データは、プリンタ印字部３３からそれぞれ対応する図１に示した光書込ヘッド１１に供給される。
【００４１】
図３は、プロセス負荷駆動出力制御部４２によって制御されるベルト式定着装置２５の熱定着ベルトの表面温度の例を示す温度特性図である。図３に示す特性曲線ａは低速モードにおける画像形成処理時の熱定着ベルトの表面温度を示している。
【００４２】
低速モードでは、加熱開始によって急速に上昇した熱定着ベルトの表面温度は、低速モードにおける最低有効温度である１３５度で緩やか曲線となり、例えば１４５度近傍で一定となる。
【００４３】
また、図３に示す特性曲線ｂは中速モードにおける画像形成処理時の熱定着ベルトの表面温度を示している。中速モードでは、加熱開始によって急速に上昇した熱定着ベルトの表面温度は、中速モードにおける最低有効温度である１５０度で緩やか曲線となり、例えば１６０度近傍で一定となる。
【００４４】
これに対して、図３に示す特性曲線ｃは高速モードにおける画像形成処理時の熱定着ベルトの表面温度を示している。高速モードでは、加熱開始によって急速に上昇した熱定着ベルトの表面温度は、高速モードにおける最低有効温度である１８０度で緩やか曲線となり、例えば２３０度近傍で一定となる。
【００４５】
図３で分かるように、画像形成処理時の熱定着ベルトの表面温度において、低中速モードのときの温度（以下、これを第１の温度という）と、高速モードのときの温度（以下、これを第２の温度という）との間には２０度以上の明確な温度差がある。
【００４６】
本発明の本実施例では、上記の温度差を利用し、１８０度以上の温度で熱応動するバイメタル素子を用い、高速モードで熱定着ベルトを中心に急速に蓄積される摩擦帯電電荷を接地開放する。
【００４７】
図４は、ベルト式定着装置２５の内部構成を取り出して示す斜視図である。図４に示すようにベルト式定着装置２５の内部は、加熱部と加圧部で構成されている。加圧部は押圧ローラ４４で構成されている。押圧ローラ４４は、特には図示しないが内部に熱源を備えており、付勢部材により、図の手前方向に付勢されている。
【００４８】
一方、加熱部は、発熱ローラ４５と、押圧ローラ４４に対向して配置された定着ローラ４６と、発熱ローラ４５と定着ローラ４６とに掛け渡された熱定着ベルト４７を備えている。発熱ローラ４５は内部に熱源を備えており、熱源は発熱ローラ４５を介して熱定着ベルト４７を加熱する。
【００４９】
熱定着ベルト４７は加熱されて生じた高温の熱を、定着ローラ４６と押圧ローラ４４との対向部において、この対向部に搬入されてくる記録媒体に伝達する。定着ローラ４６と押圧ローラ４４は、熱定着ベルト４７を介して記録媒体を挟持して搬送しながら、記録媒体に熱と圧力を加えて未定着トナー像を記録媒体面に定着する。
【００５０】
このとき、画像処理が高速モードであると、前述したように、熱定着ベルト４７を中心に摩擦帯電電荷が急速に蓄積される。本例では、蓄積された電荷を中和するために熱定着ベルト４７に摺接する除電ブラシ４８を備えている。
【００５１】
除電ブラシ４８は、熱定着ベルト４７の幅とほぼ同じ幅に形成され、導電性部材４９に保持されて、熱定着ベルト４７に常に摺接している。除電ブラシ４８は、低・中速モードの画像処理時には、熱定着ベルト４７に発生する摩擦帯電電荷を収集して、導電性部材４９による自然放電により電荷を中和すべく構成されている。
【００５２】
上記の導電性部材４９の一端には、バイメタル素子５１がその一端を保持されている。バイメタル素子５１の他端は自由端であり、常には熱定着ベルト４７の表面に近接している又は摺接している。このバイメタル素子５１の自由端の上方に、接地部５２に接続された除電用伝導部５３が配置されている。
【００５３】
図５(a)は、上記の構成を図４の矢印Ｂで示すように上方から見た平面図であり、図５(b)は図５(a)のＣ−Ｃ´断面矢視図である。尚、図５(a),(b)には、図４に示した構成と同一の構成部分には図４と同一の番号を付与して示している。
【００５４】
また、図５(a)には、発熱ローラ４５、定着ローラ４６、及び押圧ローラ４４の図示を省略し、熱定着ベルト４７は一部切り欠いて示している。また、図５(b)には、帯電ブラシ４８の図示を省略している。
【００５５】
図５(a)に示すように、バイメタル素子５１は、除電ブラシ４８と共に導電性部材４９に保持されている。そして、低・中速の画像処理時には、図５(b)に実線で示すように、その自由端は、熱定着ベルト４７の表面に近接している又は摺接している。
【００５６】
バイメタル素子５１の上方には、他の構成部材とは電気的に独立に除電用伝導部５３が接地部５２に接続された状態で定着装置の不図示のフレームに保持されて配置されている。除電用伝導部５３の端部はバイメタル素子５１の自由端の上方に延びだして配置されている。
【００５７】
バイメタル素子５１は、高速モードの画像処理時における熱定着ベルト４７の表面温度の第２の温度である１８０度以上の温度に熱応動して、図５(b)に破線で示すように、自由端が上方に反り返り、除電用伝導部５３に当接する。
【００５８】
これにより、高速モードの画像処理で短時間で急速に熱定着ベルト４７に蓄積した電荷が、除電ブラシ４８、導電性部材４９、バイメタル素子５１、除電用伝導部５３を介して接地部５２に導通して中和される。
【００５９】
このように、本実施例によれば、複雑な機構を必要とせず、バイメタル素子によって熱定着ベルトの表面の除電を選択的に行い、低速では電荷保持によるマイクロオフセットの発生を防ぎ、高速では急速に蓄積する電荷を容易に接地部に導通させて静電オフセットの発生を防ぐ、というように、除電が必要とされる以外は接地導通がなく、安定した除電効果を発揮することができる。
【００６０】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００６１】
未定着トナー像を形成された記録媒体を加熱部と加圧部とで挟持して搬送しながら前記未定着トナー像を前記記録媒体に定着する定着装置において、
前記加熱部の表面温度を、低速又は中速での画像処理時の第１の温度と、高速での画像処理時の第２の温度とに制御する温度制御部と、
前記加熱部に摺接する除電ブラシと、
前記第１の温度と前記第２の温度に応じて、前記除電ブラシを接地部に対して電気的に離接させる除電制御部と
を備えることを特徴とする定着装置。
[付記２]
【００６２】
前記加熱部は、発熱ローラと、前記加圧部に対向する定着ローラと、前記発熱ローラと前記定着ローラとに掛け渡された熱定着ベルトとを備え、
前記除電ブラシは、前記熱定着ベルトに摺接し、
前記除電制御部は、前記除電ブラシを保持する導電性部材と、該導電性部材に一端を保持され他端を前記熱定着ベルトの表面に近接又は摺接するバイメタル素子と、接地部に接続された除電用伝導部とを有し、
前記バイメタル素子は、前記第２の温度に熱応動して前記他端を前記熱定着ベルトから遠のく方向へ反り返えらせて前記他端を前記除電用伝導部に接触させ、前記除電ブラシに蓄積した電荷を接地部に開放する、
ことを特徴とする付記１に記載の定着装置。
[付記３]
【００６３】
前記第１の温度は摂氏１３５〜１６０度であり、前記第２の温度は摂氏１８０〜２３０度である、ことを特徴とする付記１又は２に記載の定着装置。
[付記４]
【００６４】
付記１乃至３のいずれかに記載の定着装置を備えたことを特徴とする画像形成装置。
【産業上の利用可能性】
【００６５】
本発明は、簡単な構成で高速処理時におけるオフセットなどの画質劣化を防止する定着装置及び画像形成装置に利用することができる。
【符号の説明】
【００６６】
１  カラー画像形成装置
２  用紙カセット
３  用紙
４  中間転写ベルト
５  駆動ローラ
６  従動ローラ（転写対向ローラ）
７（７ｃ、７ｍ、７ｙ、７ｋ）  感光体ドラム
８  クリーナ
９  帯電ローラ
１１（１１ｃ、１１ｍ、１１ｙ、１１ｋ）    光書込ヘッド
１２  画像形成ユニット
１３  現像ローラ
１４  一次転写ローラ
１５  現像器
１６  トナー容器
１７、１８  テンションローラ
１９  二次転写ローラ
２０  二次転写部
２１  用紙取出ローラ
２２  給送ローラ
２３  捌きローラ
２４  待機ローラ対
２５  ベルト式定着装置
２６  排紙トレー
２７  排紙ローラ対
３０  ＣＰＵ（central processing unit)
３１  インターフェイスコントローラ（Ｉ／Ｆ＿ＣＯＮＴ）
３２  プリンタコントローラ（ＰＲ＿ＣＯＮＴ）
３３  プリンタ印字部
３４  ＲＯＭ（read only memory）
３５  ＥＥＰＲＯＭ（electrically erasable programmable ROM）
３６  センサ部
３７  操作パネル
３８  フレームメモリ
３９  ベルト駆動部
４１  トナー供給部モータ駆動部
４２  高圧ユニット駆動部
４３  プロセス負荷駆動出力制御部
４４  押圧ローラ
４５  発熱ローラ
４６  定着ローラ
４７  熱定着ベルト
４８  除電ブラシ
４９  導電性部材
５１  バイメタル素子
５２  接地部
５３  除電用伝導部
【図１】
2015114495.tif 000003
【図２】
2015114495.tif 000004
【図３】
2015114495.tif 000005
【図４】
2015114495.tif 000006
【図５】
2015114495.tif 000007